【手続補正書】
【提出日】平成20年6月3日(2008.6.3)
【手続補正１】
【補正対象書類名】特許請求の範囲
【補正対象項目名】全文
【補正方法】変更
【補正の内容】
【特許請求の範囲】
【請求項１】
画像データを複数の周波数帯域に分割してサブバンド係数を生成することにより周波数帯域分割を行う周波数帯域分割手段と、
前記サブバンド係数を、前記画像データの形状を表す形状情報に基づいて統合する統合手段と、
統合された前記サブバンド係数と前記形状情報とから、前記形状の領域内のサブバンド係数を符号化して符号化データを生成する符号化手段と
を備えることを特徴とする画像符号化装置。
【請求項２】
前記統合手段は、水平方向又は垂直方向に配列された前記サブバンド係数のうち、対応する前記形状情報が前記形状の領域内であることを示すサブバンド係数のみを選択することにより、前記サブバンド係数を統合することを特徴とする請求項１に記載の画像符号化装置。
【請求項３】
前記符号化手段は、符号化対象となる前記統合されたサブバンド係数の周囲の係数を参照して符号化することを特徴とする請求項１又は２に記載の画像符号化装置。
【請求項４】
前記形状情報と、前記形状の領域内の前記サブバンド係数とを利用して前記形状の領域外のサブバンド係数を補填するサブバンド係数補填手段をさらに備えることを特徴とする請求項１乃至３のいずれか１項に記載の画像符号化装置。
【請求項５】
前記周波数帯域分割手段は、参照される前記領域外の画素について、前記形状情報に基づき前記形状の領域内の画素データを補填する補填手段を備えることを特徴とする請求項１乃至４のいずれか１項に記載の画像符号化装置。
【請求項６】
画像データを複数の周波数帯域に分割してサブバンド係数を生成することにより周波数帯域分割を行う周波数帯域分割手段と、
前記画像データの形状を表す形状情報につき、前記サブバンド係数に対応する形状情報が前記形状の領域内に属することを示す場合には前記サブバンド係数を選択し、前記形状情報が、前記形状の領域外に属することを示す場合には所定値を選択する選択手段と、
符号化対象のサブバンド係数を、該サブバンド係数の周囲のサブバンド係数について対応する形状情報に基づいて前記選択手段からの出力された値を参照して符号化する符号化手段と
を備えることを特徴とする画像符号化装置。
【請求項７】
前記画像データが動画像データである場合には、該動画像データは、入力画像データと、前記入力画像データを予測することで生成された予測画像データとの差分データであることを特徴とする請求項６に記載の画像符号化装置。
【請求項８】
前記周波数帯域分割が離散ウェーブレット変換であることを特徴とする請求項１乃至７のいずれか１項に記載の画像符号化装置。
【請求項９】
画像データを符号化した符号化データを復号する画像復号装置であって、
前記画像データの形状を表す形状情報を符号化した形状情報符号化データを復号して形状情報を生成する形状情報復号手段と、
前記形状情報について、前記形状の領域内を示す情報を統合して統合形状情報を生成する統合形状情報生成手段と、前記統合形状情報を参照して、前記符号化データを復号して第１のサブバンド係数列を得る復号手段と、
前記第１のサブバンド係数列におけるサブバンド係数の配列を、前記形状情報と前記統合形状情報とを利用して変更して第２のサブバンド係数列を生成する配列変更手段と、
前記第２のサブバンド係数列と前記形状情報とを参照して画像データを合成する画像合成手段と、
を備えることを特徴とする画像復号装置。
【請求項１０】
前記画像データの合成は、逆離散ウェーブレット変換によることを特徴とする請求項９に記載の画像復号装置。
【請求項１１】
画像データを複数の周波数帯域に分割してサブバンド係数を生成することにより周波数帯域分割を行う周波数帯域分割工程と、
前記サブバンド係数を、前記画像データの形状を表す形状情報に基づいて統合する統合工程と、
統合された前記サブバンド係数と前記形状情報とから、前記形状の領域内のサブバンド係数を符号化して符号化データを生成する符号化工程と
を備えることを特徴とする画像符号化方法。
【請求項１２】
前記統合工程では、水平方向又は垂直方向に配列された前記サブバンド係数のうち、対応する前記形状情報が前記形状の領域内であることを示すサブバンド係数のみを選択することにより、前記サブバンド係数が統合されることを特徴とする請求項１１に記載の画像符号化方法。
【請求項１３】
前記符号化工程では、符号化対象となる前記統合されたサブバンド係数の周囲の係数を参照して符号化されることを特徴とする請求項１１又は１２に記載の画像符号化方法。
【請求項１４】
前記形状情報と、前記形状の領域内の前記サブバンド係数とを利用して前記形状の領域外のサブバンド係数を補填するサブバンド係数補填工程をさらに備えることを特徴とする請求項１１乃至１３のいずれか１項に記載の画像符号化方法。
【請求項１５】
前記周波数帯域分割工程は、参照される前記領域外の画素について、前記形状情報に基づき前記形状の領域内の画素データを補填する補填工程を備えることを特徴とする請求項１１乃至１４のいずれか１項に記載の画像符号化方法。
【請求項１６】
画像データを複数の周波数帯域に分割してサブバンド係数を生成することにより周波数帯域分割を行う周波数帯域分割工程と、
前記画像データの形状を表す形状情報につき、前記サブバンド係数に対応する形状情報が前記形状の領域内に属することを示す場合には前記サブバンド係数を選択し、前記形状情報が、前記形状の領域外に属することを示す場合には所定値を選択する選択工程と、
符号化対象のサブバンド係数を、該サブバンド係数の周囲のサブバンド係数について対応する形状情報に基づいて前記選択工程において選択された値を参照して符号化する符号化工程と
を備えることを特徴とする画像符号化方法。
【請求項１７】
前記画像データが動画像データである場合に、該動画像データは、入力画像データと、前記入力画像データを予測することで生成された予測画像データとの差分データであることを特徴とする請求項１６に記載の画像符号化方法。
【請求項１８】
前記周波数帯域分割が離散ウェーブレット変換であることを特徴とする請求項１１乃至１７のいずれか１項に記載の画像符号化方法。
【請求項１９】
請求項１１乃至１８のいずれか１項に記載の画像符号化方法をコンピュータに実行させるためのコンピュータプログラム。
【請求項２０】
画像データを符号化した符号化データを復号する画像復号方法であって、
前記画像データの形状を表す形状情報を符号化した形状情報符号化データを復号して形状情報を生成する形状情報復号工程と、
前記形状情報について、前記形状の領域内を示す情報を統合して統合形状情報を生成する統合形状情報生成工程と、
前記統合形状情報を参照して、前記符号化データを復号して第１のサブバンド係数列を得る復号工程と、
前記第１のサブバンド係数列におけるサブバンド係数の配列を、前記形状情報と前記統合形状情報とを利用して変更して第２のサブバンド係数列を生成する配列変更工程と、
前記第２のサブバンド係数列と前記形状情報とを参照して画像データを合成する画像合成工程と
を備えることを特徴とする画像復号方法。
【請求項２１】
前記画像データの合成は、逆離散ウェーブレット変換によることを特徴とする請求項２０に記載の画像復号方法。
【請求項２２】
請求項２０又は２１に記載の画像復号方法をコンピュータに実行させるためのコンピュータプログラム。
【請求項２３】
請求項１９又は請求項２２に記載のコンピュータプログラムを記録したコンピュータで読み取り可能な記録媒体。